(57)【要約】【課題】簡便かつ安価に製造可能であって、外観性を向上できる文字板ユニットを有する太陽電池付電子時計を提供する。【解決手段】本発明の太陽電池付電子時計は、太陽電池４と、太陽電池４に対向配置された透光性の文字板１６と、を有する文字板ユニット５を備える。文字板１６と太陽電池４との間には、太陽電池４を覆い、太陽電池４からの反射光の透過を抑える被覆層６が設けられ、文字板１６は、着色層１６２を有する。着色層１６２の色は、被覆層６の色と組み合わせることで、文字板ユニット５を所望の色とするための色に設定されている。【選択図】図２
2014038008.tif 000002
【特許請求の範囲】
【請求項１】
太陽電池と、
前記太陽電池に対向配置された透光性の文字板と、を有する文字板ユニットを備え、
前記文字板と前記太陽電池との間には、前記太陽電池を覆い、前記太陽電池からの反射光の透過を抑える被覆層が設けられ、
前記文字板は、着色層を有し、
前記着色層の色は、前記被覆層の色と組み合わせることで、前記文字板ユニットを所望の色とするための色とされている
ことを特徴とする太陽電池付電子時計。
【請求項２】
請求項１に記載の太陽電池付電子時計において、
前記着色層を有する文字板は、透過率が４０％以上６０％以下に設定されている
ことを特徴とする太陽電池付電子時計。
【請求項３】
請求項１または請求項２に記載の太陽電池付電子時計であって、
前記被覆層は、透過率が３０％以上８０％以下に設定されている
ことを特徴とする太陽電池付電子時計。
【請求項４】
太陽電池と、
前記太陽電池に対向配置された透光性の文字板と、を有する文字板ユニットを備えた太陽電池付電子時計の製造方法であって、
前記文字板と前記太陽電池との間に、前記太陽電池を覆い、前記太陽電池からの反射光を抑える被覆層を設け、
前記被覆層の色と組み合わせることで、前記文字板ユニットを所望の色とするための色を決定し、
前記決定された色の着色層を前記文字板に設ける
ことを特徴とする太陽電池付電子時計の製造方法。
【請求項５】
請求項４に記載の太陽電池付電子時計の製造方法であって、
前記着色層を有する文字板は、透過率が４０％以上６０％以下に設定されている
ことを特徴とする太陽電池付電子時計の製造方法。
【発明の詳細な説明】
【技術分野】
【０００１】
本発明は、太陽電池付電子時計およびその製造方法に関する。
【背景技術】
【０００２】
太陽電池付電子時計では、太陽電池の受光部の表面側に文字板を配置し、文字板を介して受光部が受光することにより、太陽電池が発電する。そのため、文字板は透光性が高いことが必要とされ、透明なガラスやプラスチック等が用いられてきた。
太陽電池においては、基板上に受光部を形成しているが、受光部は、複数の領域に分割され、各領域の出力を直列接続することで発電電圧を向上させている。また、太陽電池においては、受光部を基板外周縁まで形成することは製造上困難である。このような受光部は、通常濃紫色であり、金属製の基板と異なる色を有する。このため、分割された受光部間および受光部の外周側に基板を視認できる受光周縁部が形成されている。したがって、透光性の高い文字板を配置すると、受光周縁部や受光部の形状および色が太陽電池付電子時計の文字板の外観に表れてしまい、外観上好ましくない。
【０００３】
そこで、特許文献１に記載されるように、太陽電池（光電池）の色を所望の色とする技術が知られている。特許文献１に記載の技術は、太陽電池の特定の２つの構成層の膜厚を適切に選択することにより反射干渉フィルターとして用いて、所望の色の太陽電池を製造し、これを太陽電池付電子時計に利用することで、文字板の外観を所望の色とするものである。
【先行技術文献】
【特許文献】
【０００４】
【特許文献１】特開２００１−２１７４４４号公報
【発明の概要】
【発明が解決しようとする課題】
【０００５】
しかしながら、特許文献１に記載の方法では、太陽電池の構成層を構成する材料の屈折率により、所望する色ごとに膜厚を厳密に計算して太陽電池を製造しなければならず、手間がかかる。また、色ごとに構成層の膜厚を変更した太陽電池を用意する必要があり、コストが増大する。
また、特許文献１において、受光周縁部や受光部の形状が太陽電池付電子時計の外観に表れてしまうことについては、全く検討されていない。
【０００６】
そこで、本発明は、簡便かつ安価に製造可能であって、外観性を向上できる文字板ユニットを有する太陽電池付電子時計およびその製造方法を提供することにある。
【課題を解決するための手段】
【０００７】
本発明の太陽電池付電子時計は、太陽電池と、前記太陽電池に対向配置された透光性の文字板と、を有する文字板ユニットを備え、前記文字板と前記太陽電池との間には、前記太陽電池を覆い、前記太陽電池からの反射光を抑える被覆層が設けられ、前記文字板は、着色層を有し、前記着色層の色は、前記被覆層の色と組み合わせることで、前記文字板ユニットを所望の色とするための色とされていることを特徴とする。
【０００８】
この発明によれば、文字板に入射した光の一部は、文字板の着色層で反射する。また、残りの光は、着色層を有する文字板を透過し、さらに被覆層を透過して、太陽電池の受光部に到達する。したがって、太陽電池は、前記光を受光して発電する。また、被覆層に到達した光の一部は、被覆層で反射し、前記着色層を有する文字板を透過する。
したがって、文字板を視認する利用者の目には、前記文字板の着色層で反射した光と、被覆層で反射し、着色層を有する文字板を透過した光が到達し、文字板ユニットはこれらの光が混色した色に見える。要するに、文字板ユニットは、着色層からの反射光および被覆層からの反射光により決定される色、すなわち、着色層の色および被覆層の色の組み合わせにより決定される色を示す。そして、被覆層は、太陽電池からの反射光を抑えるので、被覆層で太陽電池を覆えば、基材上に形成された受光部の形状が目立たなくなる。これにより、文字板ユニットの外観に受光部の形状および色が表れてしまうことを抑えることができ、文字板ユニットの外観性を向上することができる。
太陽電池として同じものを用いれば、被覆層も同じものを用いることができ、着色層の色を調整するだけで、文字板ユニットの外観に受光部の形状が表れてしまうことを抑えることができるとともに、文字板ユニットを所望の色とすることができる。したがって、簡便かつ安価に外観性を向上できる文字板ユニットを有する太陽電池付電子時計を製造できる。
【０００９】
本発明の太陽電池付電子時計において、前記文字板は、透過率が４０％以上６０％以下に設定されていることが好ましい。
この発明によれば、文字板は、入射光を透過率４０％以上６０％以下で透過するので、上記したように、太陽電池の受光部は、太陽電池が十分発電可能な光を受光することができるとともに、文字板が太陽電池の被覆層からの反射光を透過する。したがって、文字板ユニットは、着色層からの反射光および被覆層からの反射光により決定される色、すなわち、着色層の色および被覆層の色により決定される色を示す。
ここで、本発明における透過率とは、太陽電池の受光部側に文字板を配置していない状態での発電電流値I０に対して、受光部側に文字板を配置し、文字板ユニットとした状態での発電電流値IＤを百分率で表した値（ＩＤ／Ｉ０×１００（％））である。このため、透過率は、例えば前記着色層の膜厚寸法によって調整すればよい。
【００１０】
本発明の太陽電池付電子時計において、前記被覆層は、透過率が３０％以上８０％以下に設定されていることが好ましい。
この発明によれば、被覆層が、太陽電池が十分発電可能な光を透過することができるとともに、太陽電池の受光部からの反射光を抑え、受光部の形状が文字板ユニットの外観に表れてしまうことを抑えることができる。
【００１１】
一方、本発明の太陽電池付電子時計の製造方法は、太陽電池と、前記太陽電池に対向配置された透光性の文字板と、を有する文字板ユニットを備えた太陽電池付電子時計の製造方法であって、前記文字板と前記太陽電池との間に、前記太陽電池を覆い、前記太陽電池からの反射光を抑える被覆層を設け、前記被覆層の色と組み合わせることで、前記文字板ユニットを所望の色とするための色を決定し、前記決定された色の着色層を前記文字板に設けることを特徴とする。
この発明によれば、受光部の色と組み合わせることで、文字板ユニットを所望の色とする着色層の色を決定し、当該着色層を文字板に設けるだけで、受光部の形状を目立たなくすることができ、文字板ユニットを所望の色とすることができる。したがって、簡便かつ安価に外観性が向上できる文字板ユニットを有する太陽電池付電子時計を製造できる。
【００１２】
本発明の太陽電池付電子時計の製造方法において、前記着色層を有する文字板は、透過率が４０％以上６０％以下に設定されていることが好ましい。
この発明によれば、太陽電池の受光部は、太陽電池が十分発電可能な光を受光することができるとともに、文字板が被覆層からの反射光を透過する。したがって、文字板ユニットが着色層からの反射光および被覆層からの反射光により決定される色、すなわち、着色層の色および被覆層の色により決定される色を示し、受光部の形状が目立たない太陽電池付電子時計を製造できる。
【図面の簡単な説明】
【００１３】
【図１】本発明の第一実施形態に係る太陽電池付電子時計を示す正面図。
【図２】前記実施形態の要部を示す分解斜視図。
【図３】前記実施形態の要部の拡大断面図。
【図４】本発明の第二実施形態に係る太陽電池付電子時計の要部を示す分解斜視図。
【図５】前記実施形態の要部の拡大断面図。
【発明を実施するための形態】
【００１４】
＜第一実施形態＞
本発明の第一実施形態を図面に基づいて説明する。
〔太陽電池付電子時計の概略構成〕
図１は、本実施形態に係る太陽電池付電子時計１の平面図である。太陽電池付電子時計１は、図１に示すように、時計本体１０と、時計本体１０を収納する外装ケース１００と、外装ケース１００に連結されたバンド１０１とを備え、時計本体１０に、時刻を表示する時刻表示部１２を備えた指針式腕時計（アナログ時計）である。この時刻表示部１２は、時針１３、分針１４、秒針１５、文字板１６を備える。
【００１５】
〔時計本体の構成〕
図２は、本実施形態の太陽電池付電子時計１の分解斜視図である。
時計本体１０は、図２に示すように、ムーブメント２と、文字板ユニット５とを備える。文字板ユニット５は、文字板受けリング部材３と、太陽電池４と、被覆層６と、太陽電池４の表側に配置される透光性の文字板１６とを備える。なお、ムーブメント２は、地板、回路基板、ステッピングモーター、駆動輪列等が組み込まれた一般的な構成を採用しているため、説明を省略する。また、外装ケース１００も一般的な構成であるため、説明を省略する。
さらに、本実施形態のムーブメント２は、日車２１と、この日車２１が上方に外れないように保持する日車押さえ２２を備えている。
【００１６】
〔文字板受けリング部材の構成〕
文字板受けリング部材３は、非透光性の材料により円環状に形成されている。文字板受けリング部材３の表面側には、文字板受けリング部材３の内周面に沿って形成され、文字板受けリング部材３の上面３０よりも一段低く形成された太陽電池支持面３１が形成されている。
また、文字板受けリング部材３は、その平面中心を挟んで対向する二箇所に、図示略の支持フック部が形成されている。この支持フック部が、ムーブメント２に係合し、文字板受けリング部材３はムーブメント２を保持する。
文字板受けリング部材３の上面３０には、文字板固定部３２、太陽電池位置決め部３３がそれぞれ設けられている。
【００１７】
〔太陽電池の構成〕
太陽電池４は、図２に示すように、平面視略円形状の基材４１と、基材４１の表面側に形成された太陽電池４の受光部４２とを備えている。
基材４１は、合成樹脂製のフィルムなどの絶縁材で構成され、前記太陽電池位置決め部３３に係合する係合溝４３を有する。
【００１８】
受光部４２の形成方法は任意であり、例えば薄膜シリコン型太陽電池のように、プラズマＣＶＤ法などによって形成することができる。この受光部４２は、３つの領域に分割されて形成されている。すなわち、太陽電池４の表面には扇形状の３つの受光部４２が形成されている。本実施形態では、３つの受光部４２の出力を直列接続することで発電電圧を向上させている。
そして、太陽電池４は、文字板１６を透過した太陽光などの照射光が受光部４２に当たることで発電を行い、受光部４２で発電された電力は、ムーブメント２に設けられた二次電池に充電され、この二次電池の出力でムーブメント２が駆動される。
図２に戻って、基材４１は、外周縁に、太陽電池位置決め部３３に係合する係合溝４３が形成されている。
【００１９】
〔文字板の構成〕
文字板１６は、図３にも示すように透光板１６１と、透光板１６１に積層された着色層１６２とを備える。着色層１６２は、文字板１６の表面側に積層されている。すなわち透光板１６１の太陽電池４に対向する面と反対側の面に、着色層１６２が積層されている。
透光板１６１は、透光性の材料であり、図２に示すように、太陽電池４の受光部４２全体を覆う大きさに形成されている。なお、透光板１６１は、少なくとも受光部４２全体を覆う大きさがあればよく、時計本体１０のサイズに合わせて適宜設定される。
透光板１６１を構成する透光性の材料としては、透明なプラスチックやガラスが挙げられる。透明なプラスチックとしては、アクリル樹脂、チオウレタン系樹脂、メタクリル系樹脂、アリル系樹脂、エピスルフィド系樹脂、ポリカーボネート樹脂等が例示できる。
【００２０】
着色層１６２は、透光板１６１に任意の色のインクを塗布することで設けられている。着色層１６２の厚さは、５０ｎｍ以上８００ｎｍ以下である。着色層１６２の厚さが８００ｎｍより厚いと、入射光が十分に透過せず、太陽電池４の受光部４２が十分に受光できなくなる可能性がある。着色層１６２の厚さが５０ｎｍより薄いと、着色層１６２の着色が十分でなく、文字板１６を太陽電池４と重ねて文字板ユニット５としたときに、文字板ユニット５が着色層１６２の色によらず、受光部４２の色により決定される色となる可能性がある。インクの塗布方法としては、真空蒸着法、イオンプレーティング法、スパッタリング法等が挙げられる。なお、本実施形態では、透光板１６１は、透明なプラスチックで構成されているので、文字板１６の色は着色層１６２の色と同じである。
この着色層１６２は、光の透過率が４０％以上６０％以下となるよう設定されている。したがって、受光部４２は、着色層１６２を介しても発電に十分な光を受光可能であるとともに、着色層１６２は、被覆層６からの反射光を透過する。これにより、文字板ユニット５は、着色層１６２からの反射光と被覆層６からの反射光とにより決定される新たな色を示す。なお、透過率が４０％より小さいと、受光部４２が十分な光を受光できず、太陽電池４の発電が十分に行われない可能性がある。また、透過率が６０％より大きいと、被覆層６からの反射光の透過率が上がり、文字板ユニット５とした際に着色層１６２の色に対して、被覆層６の色が強く出てしまい、文字板ユニット５の色を所望の色とすることができない可能性がある。
【００２１】
被覆層６は、太陽電池４からの反射光を抑える。本実施形態においては、被覆層６は、文字板１６の裏面側、すなわち透光板１６１の太陽電池４に対向する面に受光部４２と同じ色または受光部４２と同系色であって、受光部４２よりも濃い色のインク（例えば、黒色）を塗布することで設けられ、太陽電池４からの反射光を抑えることが可能になっている。
インクの塗布方法としては、真空蒸着法、イオンプレーティング法、スパッタリング法等が挙げられる。
被覆層６は、光の透過率が３０％以上８０％以下となるよう設定されている。被覆層６の入射光の透過率が３０％より小さいと、前記着色層１６２と合わせた文字板１６の入射光の透過率が１２％より小さくなり、太陽電池４の受光部４２が十分に受光できず、発電できなくなる可能性がある。また、被覆層６の入射光の透過率が８０％より大きいと、太陽電池４からの反射光を抑えることができず、太陽電池４の受光部４２の形状および色を目立たなくすることができなくなる可能性がある。なお、被覆層６の透過率は、例えば、被覆層６の膜厚寸法によって調整すればよい。
ここで、太陽電池４からの反射光を抑えるとは、まず、被覆層６を設けることで、入射光の透過率が低くなり、太陽電池４に入射する入射光が弱められ、これにより、太陽電池４からの反射光が小さくなる。太陽電池４からの反射光は、再び被覆層６に到達するが、被覆層６が低い透過率を有するため、透過が制限され、被覆層６をほとんど透過しないか、透過しても僅かであるため、視認できない。なお、ここで、太陽電池４からの反射光とは、太陽電池４の受光部４２からの反射光および、受光部４２が設けられていない部分の基材４１からの反射光の両方を言う。
【００２２】
この文字板１６は、外周端縁に形成される４つの係合部１６３を備える。文字板１６は、文字板受けリング部材３の上面３０に載置されることで、文字板受けリング部材３に支持される。係合部１６３は文字板固定部３２に嵌合される。これにより、文字板１６は、文字板受けリング部材３に対して周方向に位置決め固定される。
【００２３】
〔文字板ユニットの色〕
次に文字板ユニット５の色（文字板１６側から見た外観の色）について、図３を参照して説明する。文字板ユニット５において、入射光Ａは、その一部が着色層１６２で反射され、反射光Ａ１を生じ、残りは透過光Ａ２として、着色層１６２および透光板１６１を透過し、被覆層６に到達する。被覆層６に到達した透過光Ａ２は、一部が被覆層６で反射され、反射光Ｂ１を生じ、残りは、透過光Ｂ２として、被覆層６を透過し、太陽電池４、すなわち基材４１および受光部４２に到達する。透過光Ｂ２は一部が基材４１および受光部４２で反射され反射光Ｃ１を生じる。被覆層６は透過率が低いため、透過光Ｂ２は、太陽電池４が発電可能な程度の強さであり、その大半が受光部４２で吸収され、反射光Ｃ１は弱い。そして、反射光Ｃ１は、再度被覆層６を透過することになるが、透過率が低いため、反射光Ｃ１は、被覆層６をほとんど透過しないか、透過してもわずかであり、視認できない。一方、被覆層６で生じた反射光Ｂ１は、着色層１６２を透過して、反射光Ｂ１’となる。このように、文字板ユニット５においては、反射光Ａ１と反射光Ｂ１’とが視認可能となる。したがって、文字板ユニット５の色は、着色層１６２からの反射光Ａ１と被覆層６からの反射光Ｂ１’の加法混色により決定される。
【００２４】
〔太陽電池付電子時計の製造方法〕
本実施形態の太陽電池付電子時計１の製造方法は、文字板１６と太陽電池４との間に、太陽電池４を覆い、太陽電池４からの反射光を抑える被覆層６を設け、被覆層６の色と組み合わせることで、文字板ユニット５を所望の色とするための着色層１６２の色を決定し、この決定された色の着色層１６２を透光板１６１に積層して文字板１６に設ける工程を有する。
本実施形態において、被覆層６は、文字板１６の裏面、すなわち透光板１６１の太陽電池４と対向する面に積層される。これにより、受光部４２の形状を目立たなくすることができる。
【００２５】
上記したように、文字板ユニット５の色は、着色層１６２からの反射光Ａ１と受光部４２からの反射光Ｂ１’の加法混色により決定される。太陽電池付電子時計１において、受光部４２としては、所望の文字板ユニット５の色に関わらず、同一のものを用いる。したがって、太陽電池付電子時計１の製造方法においては、着色層１６２からの反射光Ａ１を調整する、すなわち着色層１６２の色を調整することにより、文字板ユニット５の色を所望の色とすることができる。具体的には、文字板ユニット５の所望の色を反射スペクトルで表し、加法混色の原理にしたがって、着色層１６２からの反射光Ａ１、受光部４２からの反射光Ｂ１’の反射スペクトルをシミュレーション等により得る。着色層１６２として、得られた反射スペクトルを示す色を着色層１６２の色として決定する。
そして、決定された色のインクを透光板１６１に塗布して、着色層１６２を積層すれば、所望の色を示す文字板ユニット５を得ることができる。なお、着色層１６２は、受光部４２が十分な光を受光可能、かつ、文字板１６が受光部４２からの反射光を透過可能であるよう、着色層１６２を有する文字板１６の透過率が４０％以上６０％以下となるよう積層される。
【００２６】
〔時計本体の組み立て〕
次に、図２を参照して、時計本体１０の組み立て方法について説明する。
まず、文字板受けリング部材３でムーブメント２を保持する。この際、ムーブメント２の上方から文字板受けリング部材３をはめ込むとともに、文字板受けリング部材３の図示略の支持フック部をムーブメント２に引っ掛けるようにして支持する。
次に、文字板ユニット５を組み立てる。まず、太陽電池４を文字板受けリング部材３に係合させて、保持させる。太陽電池４は、係合溝４３を太陽電池位置決め部３３に係合させる。太陽電池４は、係合溝４３が太陽電池位置決め部３３に係合することで、文字板受けリング部材３の周方向に対して位置決めされる。また、太陽電池４が太陽電池支持面３１上に載置されることで時計の厚さ方向に対して位置決めされる。
【００２７】
次に、文字板１６を太陽電池４の表面側から文字板受けリング部材３に保持させる。すなわち、係合部１６３を文字板受けリング部材３の文字板固定部３２に嵌合させる。これにより、文字板１６は、文字板受けリング部材３の上面３０上に載置されて厚み方向に対して位置決めされる。さらに、文字板１６は、係合部１６３が文字板固定部３２に嵌合することで、文字板受けリング部材３の周方向に対しても位置決めされる。
以上により、文字板ユニット５を備えた時計本体１０が組み立てられる。
【００２８】
上記した本実施形態に係る太陽電池付電子時計１によれば、以下の効果を奏する。
（１）文字板１６が入射光を透過率４０％以上６０％以下で透過するので、太陽電池４の受光部４２は、太陽電池４が十分発電可能な光を受光することができるとともに、文字板１６が被覆層６からの反射光を透過する。したがって、文字板１６と太陽電池４を合わせた文字板ユニット５は、着色層１６２からの反射光および被覆層６からの反射光により決定される色、すなわち、着色層１６２の色および被覆層６の色により決定される色を示す。そして、被覆層６で太陽電池４を覆うので、基材４１上に形成された受光部４２の形状が目立たなくなる。したがって、文字板ユニット５の外観に受光部４２の形状および色が表れてしまうことを抑えることができ、文字板ユニット５の外観性を向上するができる。
したがって、太陽電池付電子時計１の太陽電池４として同じものを用いれば、被覆層６も同じものを用いることができ、着色層１６２の色を調整するだけで、文字板ユニット５の外観に受光部４２の形状および色が表れてしまうことを抑えることができるとともに、文字板ユニット５の外観性を向上することができる。したがって、簡便かつ安価に外観性を向上した文字板ユニット５を有する太陽電池付電子時計１を製造できる。
【００２９】
（２）また、従来の太陽電池付電子時計においては、受光部４２を目立たなくするために文字板１６を受光部４２の色と同じか、受光部４２よりも濃い色としていた。したがって、文字板ユニット５も受光部４２と同じ色か、受光部４２と同系色のより濃い色となり、太陽電池付電子時計１の色が限られるなど、外観性に制約があった。
一方、本実施形態によれば、任意の様々な色の文字板ユニット５が提供可能となり、太陽電池付電子時計１のデザインをバラエティに富んだものとすることができる。
【００３０】
（３）また、本実施形態においては、着色層１６２を５０ｎｍ以上８００ｎｍ以下としたので、太陽電池４の受光部４２は、太陽電池４が十分発電可能な光を受光することができ、太陽電池付電子時計１の発電効率を保つことができる。
そして、８００ｎｍ以下の着色層１６２を設けるだけなので、文字板ユニット５を構成する部品は従来と同じであり、文字板１６の形状が大きく変わることもない。したがって、太陽電池付電子時計１の各部品の設計を変更する必要がない。
（４）被覆層６は、光の透過率が３０％以上８０％以下に設定しているので、被覆層６が、太陽電池４が十分発電可能な光を透過することができるとともに、太陽電池４からの反射光を抑え、受光部４２の形状が文字板ユニット５の外観に表れてしまうことを抑えることができる。
さらに、文字板ユニット５の色は、着色層１６２の色および被覆層６の色の組み合わせで設定されるため、被覆層６の色を複数種類用意すれば、それだけ文字板ユニット５の色のバリエーションを多くでき、文字板ユニット５のデザイン性をより一層向上できる。
【００３１】
＜第二実施形態＞
次に、本発明の第二実施形態を図面に基づいて説明する。
なお、第二実施形態は、被覆層６を透光板１６１にインクを塗布して積層する代わりに、反射シート６Ａで構成した点で相違し、その他の点は第一実施形態と同様であるから、その詳細な説明は省略する。
【００３２】
反射シート６Ａは、図４および図５に示すように、文字板１６と太陽電池４の受光部４２との間に設けられ、文字板１６側の面から入射した光を散乱させる機能を有する微小な凹凸を有している。本実施形態においては、この微小な凹凸により、光を散乱させることにより、太陽電池４からの反射光を抑え、着色層１６２からの反射光および反射シート６Ａから散乱された反射光とにより文字板ユニット５の色が決定される。
反射シート６Ａは、文字板１６の係合部１６３と同様に、外周端縁に形成される４つの係合部６６１を備える。反射シート６Ａは、文字板受けリング部材３の上面３０に載置されることで、文字板受けリング部材３に支持される。係合部６６１は文字板固定部３２に嵌合される。これにより、反射シート６Ａは、文字板１６および太陽電池４の間に配置された状態で、文字板受けリング部材３に対して周方向に位置決め固定される。
なお、文字板１６の太陽電池４に対向する面に、接着剤や粘着剤などの固定部材を使用して反射シート６Ａを貼り合わすことで、被覆層６を構成してもよい。
図４に示すように、本実施形態では、反射シート６Ａは、基材６１と、微小な凹凸が設けられた凹凸層６２とで構成されている。
【００３３】
反射シート６Ａの材質は、各種熱可塑性樹脂、各種熱硬化性樹脂等が挙げられる。例えば、ポリカーボネート（ＰＣ）、アクリロニトリル−ブタジエン−スチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）、等のポリオレフィン系樹脂、ポリエチレンテレフタレート（ＰＥＴ）等のポリエステル系樹脂等、又はこれらを主とする共重合体、ブレンド体、ポリマーアロイ等が挙げられ、これらのうちの１種又は２種以上を組み合わせて（例えば、ブレンド樹脂、ポリマーアロイ、積層体等として）用いることができる。
【００３４】
基材６１の厚さは、５０μｍ以上１００μｍ以下であるのが好ましく、５５μｍ以上９５μｍ以下であるのがより好ましく、６０μｍ以上９０μｍ以下であるのがさらに好ましい。また、凹凸層６２の厚さは、５μｍ以上１２．５μｍ以下であるのが好ましく、６．５μｍ以上１１．５μｍ以下であるのがより好ましい。これにより、反射シート６Ａ全体としての光透過性、光沢感（反射光の光沢度）を特に優れたものとすることができるとともに、反射層の耐久性を特に優れたものとすることができる。
【００３５】
凹凸層６２の微小な凹凸は、いかなる配置のものであってもよいが、平面視した際に、規則的に配置されたものであるのが好ましい。凹凸層６２に設けられた微小な凹凸が規則的に配置されることで、微小な凹凸がプリズム面を構成するので、光の分散面積が増えると同時に、光がより集光されて太陽電池４の受光面への照射量が増し、より多くの発電量を得ることができる。
微小な凹凸の配置パターンとしては、例えば、反射シート６Ａを平面視したとき直線状に配置されたパターン、格子状に配置されたパターン、凸条と多数の溝が同心円状に配置されたパターン、凸条と溝が渦巻き状に配置されたパターン、これらのパターンの組み合わせ等が挙げられる。
【００３６】
反射シート６Ａはいかなる方法で成形されたものであってもよい。成形方法としては、例えば、圧縮成形、押出成形、射出成形、光造形等が挙げられる。また、反射シート６Ａは、微小な凹凸の無い板状の材料を用意し、これに切削加工等の処理を施し、基材６１上に凹凸層６２が形成された、一体的な構成でもよい。また、反射シート６Ａは、基材６１と凹凸層６２とそれぞれ別々に作製し、これらを積層した積層体により構成されてもよい。
【００３７】
時計本体１０の組み立てにおいては、文字板１６を太陽電池４の表面側から文字板受けリング部材３に保持させる際、文字板１６とともに、文字板１６の太陽電池４の表面側に反射シート６Ａを保持させればよい。すなわち、係合部６６１を文字板受けリング部材３の文字板固定部３２に嵌合させる。
【００３８】
〔実施形態の変形〕
なお、本発明は前述の実施形態に限定されるものではなく、本発明の目的を達成できる範囲での変形、改良等は本発明に含まれるものである。
前記第一実施形態では、被覆層６を文字板１６の裏面、すなわち太陽電池４に対向する面に積層したが、被覆層６を太陽電池４において、受光部４２に積層してもよい。この場合、基材４１の受光部４２が設けられた側の面および受光部４２に受光部４２と同じ色または受光部４２と同系色であって、受光部４２よりも濃い色のインク（例えば、黒色）を塗布する。
前記第一実施形態では、文字板１６において、文字板１６の表面、すなわち太陽電池４に対向する面と反対側の面に着色層１６２を設けたが、太陽電池４に対向する面に着色層１６２を設けてもよいし、文字板１６の裏面、すなわち太陽電池４に対向する面および反対側の面の両方に着色層１６２を設けてもよい。この場合において、被覆層６は、着色層１６２と太陽電池４との間に設けられる。
また、前記実施形態では、文字板１６の透過率を４０％以上、６０％以下に設定したが、文字板ユニット５の色の設定や、受光部４２の色などによっては、上記範囲でなくてもよい。
本発明に係る太陽電池付電子時計１として、腕時計タイプの時計を例示して説明したが、これに限らず、壁掛け時計等、他のタイプの時計であってもよい。
【符号の説明】
【００３９】
１…太陽電池付電子時計、４…太陽電池、５…文字板ユニット、６…被覆層、６Ａ…反射シート（被覆層）、１６…文字板、４１…基材、４２…受光部、１６１…透光板、１６２…着色層。
【図１】
2014038008.tif 000003
【図２】
2014038008.tif 000004
【図３】
2014038008.tif 000005
【図４】
2014038008.tif 000006
【図５】
2014038008.tif 000007